(57)【要約】【課題】  使い勝手が良く、コネクタへの負荷を軽減できる携帯充電器を提供する。【解決手段】  携帯充電器1は、本体ケース2にその裏面に露出して取付けられた太陽電池31と、この電池で充電される二次電池25と、本体ケース2に着脱される携帯電話51に二次電池25の電力を供給するコネクタ21とを備える。本体ケース2は、長方形の機器載置壁9、側壁6、及び機器載置壁9の長手方向一端部に設けられかつコネクタ21が取付けられたコネクタ取付け部11を備える。この本体ケース2の側壁6間は上方に開放され、機器載置壁9の長手方向他端は開放されている。機器載置壁9は携帯電話51が着脱自在に載置されるフラットな表面を有する。側壁6を機器載置壁9の両側縁に沿って夫々設ける。これら側壁6が機器載置壁9に載置された受止め可能な保持部6dを有していて、この保持部6dを機器載置壁9との間に携帯電話51の側縁を挟むように設けたことを特徴としている。【選択図】図３
2012060717.tif 000002
【特許請求の範囲】
【請求項１】
携帯式の情報端末機器が着脱自在に載置されるフラットな表面を有した長方形の機器載置壁、この機器載置壁の長手方向一端部に設けられたコネクタ取付け部、前記機器載置壁に載置された前記情報端末機器の側縁を前記機器載置壁との間に挟むように設けられて前記側縁を受止め可能な保持部を有して前記機器載置壁の両側縁に沿って夫々設けられた側壁を備え、かつ、前記側壁間が上方に開放されているとともに前記機器載置壁の長手方向他端が開放されている本体ケースと、
前記コネクタ取付け部に前記機器載置壁の長手方向他端に向けて突出して取付けられたコネクタと、
前記本体ケースに内蔵され前記情報端末機器に前記コネクタを介して電力を供給可能な二次電池と、
前記本体ケースにこのケースの裏面に露出して取付けられ前記二次電池を充電する太陽電池と、
を具備したことを特徴とする携帯充電器。
【請求項２】
前記コネクタ取付け部側に位置された前記側壁の一端側部位が高く形成され、かつ、この一端側部位に前記保持部が設けられていて、前記機器載置壁の開放された長手方向他端側に位置された前記側壁の他端側部位が、前記情報端末機器の側面の一部を露出させるように低く形成されているとともに、これら一端側部位と他端側部位とにわたる前記側壁の斜状部位が、前記機器載置壁の開放された長手方向他端に近づく程前記機器載置壁の表面に近付くように形成されていることを特徴とする請求項１に記載の携帯充電器。
【発明の詳細な説明】
【技術分野】
【０００１】
本発明は、携帯式情報端末機器例えば携帯電話等とともに携帯することが可能であって、太陽光で発電した電力を前記携帯電話等に供給する携帯充電器に関する。
【背景技術】
【０００２】
上面のみが開放されたケース本体の長手方向一端部に電源供給ユニットを設け、このユニットにケース本体の長手方向他端に向けてコネクタを突設するとともに、電源供給ユニットが有した二次電池に充電するための太陽電池をケース本体の裏面に固着した構成の携帯端末用ケースが、従来技術として知られている（例えば、特許文献１参照。）。
【０００３】
この携帯端末用ケースでは、携帯電話などの携帯端末がその操作面を上側にしてケース本体に収容されるので、この携帯端末とともに携帯端末用ケースを携帯できるとともに、この携帯中に操作面を操作することが可能である。そして、前記収容状態では、携帯端末とコネクタとが嵌合して接続されているから、太陽光を受ける太陽電池により発電されて二次電池に蓄えられた電力を、ケース本体に収容された携帯端末に供給することができる。
【先行技術文献】
【特許文献】
【０００４】
【特許文献１】特開２０１０−１１０１９５号公報
【発明の概要】
【発明が解決しようとする課題】
【０００５】
特許文献１の携帯端末用ケースはその上面のみが開放された構成である。この構成では、携帯端末をケース本体内に出し入れする方向が垂直方向であるのに対して、コネクタに携帯端末を着脱する方向は水平方向である。したがって、携帯端末を着脱するために、携帯端末を動かす方向を、略直角に変える面倒がある。これとともに、ケース本体に収容された状態で、携帯端末をケース本体の長手方向に沿って水平に移動させる際に、ケース本体の壁が邪魔になる。したがって、特許文献１の携帯端末用ケースは、コネクタに携帯端末を着脱する際の使い勝手がよくない、という課題がある。
【０００６】
更に、特許文献１の携帯端末用ケースは、ケース本体内に対する携帯端末の保持を、専らコネクタとの接続部のみに依存した構成である。そのため、コネクタに片持ち状態で支持された携帯端末がその厚み方向に動くことが可能である。こうした動きが過大である場合、コネクタに過負荷が掛かり易く、耐久性上問題があるという課題がある。
【０００７】
したがって、本発明の目的は、使い勝手が良く、かつ、コネクタに対する負荷を軽減できる携帯充電器を提供することにある。
【課題を解決するための手段】
【０００８】
前記課題を解決するために、本発明は、本体ケースにその裏面に露出して取付けられた太陽電池と、この電池で充電される二次電池と、本体ケースに着脱される携帯式の情報端末機器に二次電池の電力を供給するコネクタとを備えた携帯充電器において、本体ケースが、情報端末機器が着脱自在に載置されるフラットな表面を有した長方形の機器載置壁、この機器載置壁の両側縁に沿って夫々設けられた側壁、及び機器載置壁の長手方向一端部に設けられかつコネクタが取付けられたコネクタ取付け部を備えていて、この本体ケースの側壁間を上方に開放するとともに機器載置壁の長手方向他端を開放し、かつ、機器載置壁に載置された情報端末機器の側縁を受止め可能な保持部を、機器載置壁との間に側縁を挟むように側壁の夫々に設けたことを特徴としている。
【０００９】
本発明の携帯充電器が備える本体ケースは、その機器載置壁の長手方向一端部に設けられたコネクタ取付け部に対して、本体ケースの長手方向に向かい合う壁がなく、機器載置壁の長手方向他端が開放されている。そのため、機器載置壁上に載せられた携帯電話等の携帯式情報端末機器をコネクタに容易に着脱できるので、使い勝手がよい。更に、本体ケースに情報端末機器が充電可能にセットされた状態では、情報端末機器の側縁が機器載置壁と側壁の保持部とで挟まれるように配置されるので、本体ケースの側壁間を通って情報端末機器が外れることが防止されるとともに、コネクタに接続された情報端末機器の厚み方向の過大な動きを原因とする過負荷がコネクタに与えられることを抑制できる。
【発明の効果】
【００１０】
本発明の携帯充電器によれば、使い勝手が良く、かつ、コネクタに対する負荷を軽減できる、という効果がある。
【図面の簡単な説明】
【００１１】
【図１】（Ａ）（Ｂ）は本発明の一実施形態に係る携帯充電器を夫々異なる方向から見て示す斜視図である。
【図２】図１の携帯充電器を分解した状態を裏側から見て示す斜視図である。
【図３】図１の携帯充電器を分解した状態をこの充電器にセットされる携帯電話とともに表側から見て示す斜視図である。
【図４】図１の携帯充電器を裏返した状態で示す斜視図である。
【図５】図１の携帯充電器をそれに携帯電話がセットされた状態で示す斜視図である。
【図６】図５中Ｆ６−Ｆ６線に沿って示す断面図である。
【図７】図５中Ｆ７−Ｆ７線に沿って示す断面図である。
【発明を実施するための形態】
【００１２】
以下、本発明の一実施形態について、図１〜図７を参照して詳細に説明する。
【００１３】
図１〜図７中符号１は携帯充電器（以下充電器と略称する。）を示し、図３及び図５〜図７中符号５１は充電器１に着脱することが可能な充電対象物である情報端末機器例えば携帯電話を示している。
【００１４】
図示の携帯電話５１は例えば「iPhone4」（Apple inc.の商品名）と称される平面視略長方形状の携帯電話である。この携帯電話５１は、金属製のフレーム５２に正面パネル５３と裏面パネル５４（図６及び図７参照）を装着してなる外装組立を備えており、フレーム５２は正面パネル５３及び裏面パネル５４の外周面に外側から重なっている。外装組立には、図示しないが機器側二次電池が内蔵されているとともに、この機器側二次電池を電源として動作され携帯電話５１に備わった様々な機能を実現する各種の部品が内蔵されている。
【００１５】
携帯電話５１の使用時に手元側に位置されるフレーム５２の一端にコネクタ接続口５５（図３参照）が開口されている。これとともに、携帯電話５１の使用時に手先側に位置されるフレーム５２の他端部に複数の操作部材５６〜５９（図７参照）が設けられていて、そのうちの操作部材５７〜５９は外装組立の側方に臨んで配設されている。更に、図３及び図５に示すように正面パネル５３には、タッチ操作をすることが可能なパネル状のディスプレイ６０と、このディスプレイ６０の下側に位置する送話口６１と、ディスプレイ６０の上側に位置する受話口６２が設けられている。なお、外装組立に内蔵されたカメラの受光部（図示しない）が裏面パネル５４にこれを貫通するように取付けられている。
【００１６】
図６及び図７に示すように充電器１は、硬質合成樹脂製の本体ケース２と、コネクタ２１と、二次電池２５と、太陽電池３１と、基板組立３５等を具備している。
【００１７】
本体ケース２は、第１ケース部材３と第２ケース部材８をねじ止めして形成されている。
【００１８】
図２及び図３に示すように第１ケース部材３は、長方形の開口４を有しているとともに、この開口４の長手方向の片側近傍に受光口５を有している。受光口５はテーパ状に形成されている。
【００１９】
第１ケース部材３はその幅方向両側に夫々第１ケース部材３の長手方向一端から他端にわたる側壁６を一体に有している。これら側壁６は、第１ケース部材３の長手方向に延びて互に平行に設けられていて、第１ケース部材３の幅方向に相対向している。夫々の側壁６は、一端側部位６ａと他端側部位６ｂとこれらにわたる中間部位からなる斜状部位６ｃを有している。
【００２０】
側壁６の長手方向一端部を占める一端側部位６ａの高さは、他端側部位６ｂ及び斜状部位６ｃより高い。この一端側部位６ａに保持部６ｄが設けられている。保持部６ｄは側壁６の長手方向に延びて形成され、例えば一端側部位６ａの上縁から折れ曲がっている。夫々の側壁６が有した保持部６ｄは、互に近付く方向に突出されているとともに、後述する機器載置壁９の長手方向の全長より短い。
【００２１】
側壁６の長手方向他端部を占める他端側部位６ｂの高さは、一端側部位６ａ及び斜状部位６ｃより低い。側壁６の長手方向中間部を占める斜状部位６ｃは斜状に形成されている。言い換えれば、斜状部位６ｃの上辺が、後述する機器載置壁９の開放された長手方向他端に近付く程、機器載置壁９の表面に近付くように斜状に形成されている。
【００２２】
第２ケース部材８は、平面視長方形で表面がフラットな機器載置壁９と、この機器載置壁９の幅方向両側に一体に連続して設けられた側板１０と、これら機器載置壁９及び側板１０の長手方向一端に一体に連続して設けられたコネクタ取付け部１１とを有している。
【００２３】
機器載置壁９の表面には携帯電話５１が着脱可能に載置される。第２ケース部材８の側板１０を通る位置での幅方向の断面は図６に示すように略Ｈ字状である。図７に示すようにコネクタ取付け部１１は、機器載置壁９から上向きに直角に折れ曲がった起立部位、及びこの起立部位の上端から機器載置壁９とは反対向きに折れ曲がった水平状のカバー部位を有している。この第２ケース部材８は第１ケース部材３にねじ止めされている。
【００２４】
機器載置壁９は、第１ケース部材３の側壁６間に配置されて、第１ケース部材３の長手方向一端部を除いて第１ケース部材３を上方から覆っている。機器載置壁９の他端（コネクター取付け部と反端側の端）は、図７に示すように第１ケース部材３の長手方向他端３ａで裏側から支持されている。図６に示すように側板１０は側壁６の内面に接しており、この側板１０の上縁は保持部６ｄの下方に対向するように位置されている。機器載置壁９の表面に対して側板１０の上縁及び保持部６ｄは夫々平行である。図７に示すようにコネクタ取付け部１１は第１ケース部材３の長手方向一端部３ｂを上方から覆っていて、第１ケース部材３がその長手方向一端に有した起立端壁１２で裏側から支持されている。
【００２５】
以上のように第１ケース部材３と第２ケース部材８を組立ててなる本体ケース２の側板１０間は、図１（Ａ）（Ｂ）に示すように上方に開放されている。これとともに、図１（Ａ）（Ｂ）及び図７に示すように機器載置壁９の長手方向他端が開放されている。
【００２６】
なお、図１（Ａ）（Ｂ）等に示すように機器載置壁９の長手方向他端部に通孔１３が開口されている。この通孔１３は受光口５の奥端に連続している。充電器１に携帯電話５１がセットされた状態で、この携帯電話５１が有したカメラの受光部は、通孔１３に対向して配置され、それにより、前記セット状態でも前記カメラを使用可能となっている。
【００２７】
コネクタ２１は、コネクタ取付け部１１にその内側からねじ止めされたコネクタ押え２２（図２及び図３参照）を用いて取付けられている。コネクタ２１は、コネクタ取付け部１１の起立部位をその高さ方向中間位置で貫通し、機器載置壁９の開放された長手方向他端に向けて突出されている。このコネクタ２１には、充電器１にセットされた携帯電話５１のコネクタ接続口５５が着脱可能に嵌合される。
【００２８】
二次電池２５には例えばリチウム・ポリマー電池を好適に使用できるが、これには限定されない。二次電池２５は図２及び図３に示すように四角い板状に形成されている。この二次電池２５は、例えば図６及び図７に示すように機器載置壁９の裏面に接するように本体ケース２に内蔵されている。二次電池２５は、側板１０と、図２に示した第２ケース部材８のリブ１４とによって位置決めされている。
【００２９】
太陽電池３１は四角いパネル状に形成されていて、二次電池２５に重なるように第２ケース部材８の裏側に配設されている。この太陽電池３１は、開口４の縁と二次電池２５とで挟持されている。そして、太陽電池３１は本体ケース２の裏面に露出して設けられている。
【００３０】
基板組立３５は、充電のため等に必要とする所定の電気部品等を回路基板に搭載して形成されていて、第２ケース部材８の長手方向一端部の裏側に配置されている。この基板組立３５に、コネクタ２１、二次電池２５、及び太陽電池３１等が夫々電気的に接続されている。太陽電池３１が太陽光を受けて発電した電力は基板組立３５を経由して二次電池２５に蓄えられ、この二次電池２５の電力は基板組立３５を経由してコネクタ２１に供給される。
【００３１】
更に、図２及び図３に示すように基板組立３５には、外部直流電源が着脱可能に接続される受電コネクタ３６、充電表示ランプ３７、及び充電切換えスイッチ３８等が取付けられている。受電コネクタ３６はコネクタ取付け部１１の外部に開放されたコネクタ挿入口に連続して配設されている。充電表示ランプ３７は図１（Ａ）等に示すコネクタ取付け部１１の表示窓３９を通して外部から視認可能である。充電切換えスイッチ３８のスイッチ摘みは使用者により外部から任意にオン・オフ操作ができるようにコネクタ取付け部１１の外部に臨んで設けられている。この充電切換えスイッチ３８のオン状態では二次電池２５からコネクタ２１への電力供給が可能であり、オフ状態では二次電池２５からコネクタ２１への電力供給が遮断される。
【００３２】
以上説明した充電器１の構成によれば、本体ケース２は、その機器載置壁９の長手方向一端部に設けられたコネクタ取付け部１１に対して、本体ケース２の長手方向に向かい合う壁がなく、機器載置壁９の長手方向他端が開放されている。そのため、以下の手順で充電器１に携帯電話５１を容易にセットできる。
【００３３】
まず、携帯電話５１を機器載置壁９の長手方向他端部上に接触させる。この場合、機器載置壁９に対して上方向から垂直に携帯電話５１を載せる手間を要さずに、機器載置壁９の端部に対して斜め上方又は側方向から携帯電話５１を接触させることができ、その際に本体ケース２の一部が邪魔になることがない。しかも、側壁６の他端側部位６ｂの高さは機器載置壁９の表面に近い高さであるとともに、側壁６の斜状部位６ｃは他端側部位６ｂ側ほど低くなる斜状であるので、これら他端側部位６ｂ及び斜状部位６ｃが、前記接触のための操作の邪魔になり難く、又、この段階では側壁６の保持部６ｄとは干渉しない。
【００３４】
引き続いて、機器載置壁９の表面に対する携帯電話５１の接触状態を維持しつつ、この携帯電話５１を機器載置壁９の表面と平行となるように伏せた上で、携帯電話５１を、機器載置壁９の表面に沿って滑らせるようにコネクタ取付け部１１に向けて押込んで、機器載置壁９に載置させる。この押込みの進行に伴って、携帯電話５１のフレーム５２が側壁６の保持部６ｄの真下に入り込んで近接し、かつ、この状態を維持しながら携帯電話５１が押込まれる。こうした押込みによって、携帯電話５１のコネクタ接続口５５がコネクタ２１に嵌合される。
【００３５】
この場合、携帯電話５１の幅方向の移動は、その幅方向両側面と第２ケース部材８の側板１０の上部との接触により抑制され、携帯電話５１の上下方向（厚み方向）の移動は本体ケース２の機器載置壁９と側壁６の保持部６ｄとによって抑制される。その結果、コネクタ接続口５５がコネクタ２１に対して位置決めされた状態で携帯電話５１が押込まれるので、コネクタ２１へのコネクタ接続口５５の接続が円滑である。又、以上のセット操作中に使用者の手指が本体ケース２の側壁６に触れることがあっても、側壁６が斜状部位６ｃを有していることにより、手指に角が当たって痛みを与えることがなく、安心して取扱うことができる。
【００３６】
以上のように携帯電話５１を機器載置壁９に接触させた上でこの機器載置壁９をガイドにして携帯電話５１を押込むという一連の簡単な手順で、コネクタ２１に携帯電話５１が機械的かつ電気的に接続された状態に携帯電話５１を充電器１にセットできる。セットが完了した状態を図５〜図７に示す。セットされた充電器１の上面と、コネクタ取付け部１１のカバー部位の上面と、側壁６の一端側部位６ａの上端とは、略同じ高さで略面一に連続するように配置されている。
【００３７】
携帯電話５１は以上のセット完了状態で充電器１とともに携帯することができる。この場合、図５に示すように携帯電話５１の正面パネル５３の正面の略全体が露出されているので、セット状態のままで携帯電話５１を使用できる。
【００３８】
しかも、セット完了状態では、受話口６２が設けられている携帯電話５１の端部が、その両側面を含めて側壁６で覆われることなく露出された状態にある。それにより、携帯電話５１の長手方向の端面に位置された操作部材５６が露出された状態にあるだけではなく、図５に示すように携帯電話５１の側面の操作部材５７〜５９も露出された状態にある。この後者の露出は、本体ケース２の側壁６が斜状部位６ｃ及び低い他端側部位６ｂを有していることで実現されている。そのため、セット完了状態のままで操作部材５６〜５９も操作して携帯電話５１を使用できる。
【００３９】
又、携帯電話５１が充電器１にセットされた状態又はセットされていない状態で、充電器１の二次電池２５に充電をするには、図４に示すように充電器１を裏返して太陽電池３１が太陽光を受光できるようにすればよい。こうした受光状態で太陽電池３１が発電した電力を溜めた二次電池の電力を、携帯電話５１に供給するには、前記セット完了状態で切換えスイッチ３８をオン操作すればよく、それにより、コネクタ２１を介して二次電池２５の電力が携帯電話５１に供給される。
【００４０】
充電器１ごと携帯電話５１が携帯される場合等において、コネクタ２１に片持ち支持された状態にある携帯電話５１がその厚み方向に過大に動くことがあると、それに伴ってコネクタ２１に機械的な過負荷が作用する。しかし、携帯電話５１が充電器１にセットされた状態では、図６に示すように携帯電話５１の側縁、つまり、フレーム５２の側部の上縁が、これに至近距離で対向されている側壁６の保持部６ｄで覆われており、携帯電話５１の裏面は機器載置壁９で支持されている。即ち、携帯電話５１の側縁は、機器載置壁９と側壁６の保持部６ｄとで挟まれるように配設されている。
【００４１】
そのため、携帯中に、本体ケース２の開放された側壁６間を通って携帯電話５１が外れることは、この携帯電話５１の側縁をなしたフレーム５２が保持部６ｄで受止められることで防止される。
【００４２】
これとともに、コネクタ２１に接続された携帯電話５１がその厚み方向に過大に動くことが保持部６ｄによって防止されるので、コネクタ２１に過負荷が与えられることを抑制できる。それに伴い、コネクタ２１が斜めに変形する恐れや、コネクタ２１が貫通しているコネクタ取付け部１１の起立部位にクラックが入って適正にコネクタ２１を支持することができなくなる等の恐れを解消できる。
【００４３】
又、既述のように携帯電話５１が充電器１にセットされた状態では、受話口６２が設けられている携帯電話５１の端部は、その両側面を含めて、側壁６で覆われることなく露出された状態にある。これとともに、本体ケース２は、その機器載置壁９の長手方向一端部に設けられたコネクタ取付け部１１に向かい合う壁がなく、機器載置壁９の長手方向他端が開放されている。
【００４４】
そのため、充電器１から携帯電話５１を外す際には、受話口６２が設けられている携帯電話５１の端部を掴むことができ、それにより、携帯電話５１を容易に掴んでコネクタ取付け部１１から離れる方向に引き動かすことができる。この場合、本体ケース２に邪魔されることがない。したがって、前記引き動かしに伴い、コネクタ２１から携帯電話５１を容易に離脱させることができるとともに、引き続いてこの離脱方向を変更することなくそのまま連続して携帯電話５１を機器載置壁９に沿って引き動かすことにより、この携帯電話５１を充電器１から外すことができる。
【００４５】
以上のように一実施形態の充電器１によれば、機器載置壁９上に載せられた携帯電話５１をコネクタ２１に容易に着脱できるので、使い勝手がよいとともに、本体ケース２に携帯電話５１がセットされた状態で、携帯電話５１がその厚み方向に過大に動くことを抑制できるに伴い、コネクタ２１に対する負荷を軽減できる、という効果がある。
【００４６】
なお、本発明は前記一実施形態には限定されない。例えば、一実施形態では、携帯電話（携帯式の情報機器端末）５１の周部に段差を作るフレーム５２を保持部６ｄで受止め可能としたが、フレームがない構成の情報端末機器が着脱される場合、この情報端末機器の周側部上面を側縁として利用して、この側縁を側板６の保持部６ｄで受止め可能として実施することができる。更に、情報機器端末の側縁が、情報機器端末の上面より下がった位置に段差を有している場合、これを受止め可能に配置される保持部は、側壁の上縁を形成することには制約されず、この側壁の高さ方向中間位置に設けてもよい。
【００４７】
又、前記一実施形態で説明した側壁６は、本体ケース２の長手方向全長にわたり連続しているので、側壁６が使用者の指で押された場合に互に近付くように変形し難い。しかも、他端側部位６ｂは低いので、より一層変形が抑制される。これにより、相対向した側壁６の他端側部位６ｂが使用者の指で押されることに伴って側壁６の相互間隔が狭められ難いので、機器載置壁９の長手方向他端部上に携帯電話５１を載せる際の支障となる恐れがない利点がある。
【００４８】
しかし、本発明は、側壁６の高さが低い他端側部位６ｂを省略する代わりに、斜状部位６ｃの先端を機器載置壁９の長手方向中間部に接するように設け、或いは、斜状部位６ｃを機器載置壁９の長手方向他端にまで延長して設けて、実施することも可能である。この場合、前記斜状部位６ｃが有する斜状の縁は、斜辺であってもよく、或いは円弧状の辺で形成しても良い。
【符号の説明】
【００４９】
１…携帯充電器、２…本体ケース、６…側壁、６ａ…一端側部位、６ｂ…他端側部位、６ｃ…斜状部位、６ｄ…保持部、９…機器載置壁、１１…コネクタ取付け部、２１…コネクタ、２５…二次電池、３１…太陽電池、５１…携帯電話（情報端末機器）、５２…フレーム（情報端末機器の側縁）
【図１】
2012060717.tif 000003
【図２】
2012060717.tif 000004
【図３】
2012060717.tif 000005
【図４】
2012060717.tif 000006
【図５】
2012060717.tif 000007
【図６】
2012060717.tif 000008
【図７】
2012060717.tif 000009